(57)【要約】【課題】遊技盤を交換する際において、作業性が良く、遊技盤が落下する危険を減少させることができる遊技機を提供すること。【解決手段】遊技機７は、遊技盤２５と、遊技盤２５を正面側に取り付ける本体部２３と、遊技盤２５を覆う位置、及び遊技盤２５を開放する位置との間で回動可能に、本体部２３に取り付けられた装飾扉２７とを有し、本体部２３は、遊技盤２５の一端を保持するとともに、遊技盤２５を、本体部２５に当接した位置と、正面側に引き出された位置との間で回動させる保持回動部材３５を備え、装飾扉２７は、遊技盤２５を開放する位置にあるとき、正面側に引き出された位置にある遊技盤２５と当接し、遊技盤２５の位置を固定する固定部材５５を備える。【選択図】  図２
2008104647.tif 000002
【特許請求の範囲】
【請求項１】
遊技盤と、
前記遊技盤を正面側に取り付ける本体部と、
前記遊技盤を覆う位置、及び前記遊技盤を開放する位置との間で回動可能に、前記本体部に取り付けられた装飾扉と、
を有する遊技機であって、
前記本体部は、前記遊技盤の一端を保持するとともに、前記遊技盤を、前記本体部に当接した位置と、正面側に引き出された位置との間で回動させる保持回動部材を備え、
前記装飾扉は、前記遊技盤を開放する位置にあるとき、前記正面側に引き出された位置にある前記遊技盤と当接し、前記遊技盤の位置を固定する固定部材を備えることを特徴とする遊技機。
【請求項２】
前記保持回動部材は、前記遊技盤の下端部を保持し、前記遊技盤を前記本体部に対して縦開きさせるものであるとともに、
前記装飾扉は、前記本体部に対して横開きするものであって、
前記固定部材は、前記装飾扉の内面から水平方向に張り出す形状を有し、前記縦開きした前記遊技盤の正面側と当接することを特徴とする請求項１記載の遊技機。
【請求項３】
前記保持回動部材は、前記遊技盤の左右どちらかの一端を保持し、前記遊技盤を前記本体部に対して横開きさせるものであるとともに、
前記装飾扉は、前記本体部に対して縦開きするものであって、
前記固定部材は、前記装飾扉の内面に立設され、前記横開きした前記遊技盤の正面側と当接することを特徴とする請求項１記載の遊技機。
【請求項４】
前記保持回動部材は、前記遊技盤の一端を保持する、断面略コの字型の凹部を備え、
当該凹部を構成する正面側の堤は、背面側の堤よりも高いことを特徴とする請求項１〜３のいずれかに記載の遊技機。
【請求項５】
前記正面側の堤は、一部が切り欠かれていることを特徴とする請求項４に記載の遊技機。
【請求項６】
前記固定部材と前記遊技盤とは、相互を係合する構成を有することを特徴とする請求項１〜５のいずれかに記載の遊技機。
【請求項７】
前記固定部材と前記遊技盤とが係合したとき、前記装飾扉の回動が制限されることを特徴とする請求項６記載の遊技機。
【発明の詳細な説明】
【技術分野】
【０００１】
本発明は、パチンコ機等の弾球遊技機に関し、特に、遊技盤を交換可能な遊技盤脱着式の遊技機に関する。
【背景技術】
【０００２】
パチンコ機などの遊技機では、遊技盤を交換可能な遊技盤脱着方式のものが主流である。この遊技盤脱着方式の遊技機において、遊技盤は、例えば、外枠（固定枠）に開閉自在に取り付けられた内枠に装着される。
【０００３】
遊技盤を内枠に取り付ける機構としては、遊技盤の一端を保持するための保持部を内枠に回動可能に設けたものが提案されている（特許文献１）。この機構を有する遊技機では、まず、遊技盤の一端を保持部に挿入した後、保持部を回動させ、遊技盤を内枠に押し入れることにより、遊技盤を内枠に取り付けることができる。
【特許文献１】特開２００１−３２７７１７号公報
【発明の開示】
【発明が解決しようとする課題】
【０００４】
遊技盤を内枠に取り付けるときには、内枠から伸びる配線を遊技盤に設けられた基板等に接続する配線作業が必要である。遊技盤の基板は通常、遊技盤の背面に設けられているので、上記の配線作業をする際は、遊技盤の背面が作業者に見えやすいように、遊技盤の位置や角度を保つ必要がある。
【０００５】
特許文献１記載の技術において、遊技盤の取り付けに伴う配線作業をするとき、遊技盤の背面を作業者から見やすくするためには、遊技盤の一端を保持部に保持したまま、遊技盤を手前に大きく傾ける必要がある。
【０００６】
この場合、遊技盤はその一端のみが保持されている状態であるので、大変バランスが悪く、配線作業中に遊技盤が保持部から外れてしまうおそれがある。そのため、作業者は、遊技盤が保持部から外れないように常に注意しなければならず、配線作業の作業性が悪くなってしまう。また、遊技盤が保持部から外れて遊技機島台のカウンター等の上に落下し、カウンター等を傷つけるおそれがある。
【０００７】
本発明は以上の点に鑑みなされたものであり、遊技盤を交換する際において、作業性が良く、遊技盤が落下する危険を減少させることができる遊技機を提供することを目的とする。
【課題を解決するための手段】
【０００８】
本発明の遊技機は、
遊技盤と、前記遊技盤を正面側に取り付ける本体部と、前記遊技盤を覆う位置、及び前記遊技盤を開放する位置との間で回動可能に、前記本体部に取り付けられた装飾扉と、を有する遊技機であって、前記本体部は、前記遊技盤の一端を保持するとともに、前記遊技盤を、前記本体部に当接した位置と、正面側に引き出された位置との間で回動させる保持回動部材を備え、前記装飾扉は、前記遊技盤を開放する位置にあるとき、前記正面側に引き出された位置にある前記遊技盤と当接し、前記遊技盤の位置を固定する固定部材を備えることを特徴とする遊技機を要旨とする。
【０００９】
本発明の遊技機は、遊技盤の取り付けに伴う配線作業をするとき、例えば、図２に示すように、遊技盤２５の一端を保持回動部材３５で保持するとともに、保持回動部材３５を回動させて、遊技盤２５を正面側に引き出し、引き出された遊技盤２５に、装飾扉２７に設けられた固定部材５５を当接させることにより、遊技盤２５を保持する。このとき、遊技盤２５は、保持回動部材３５だけでなく、固定部材５５によっても保持されるので、遊技盤２５の位置は安定し、その背面に対する配線作業が容易になる。また、遊技盤２５の位置が安定し、本体部２３から落下してしまうことがないので、落下による遊技盤２５や遊技機島台のカウンター等の損傷を防止することができる。
【００１０】
本発明の遊技機において、前記保持回動部材は、例えば、図２に示すように、前記遊技盤２５の下端部を保持し、前記遊技盤２５を前記本体部２３に対して縦開きさせるものであるとともに、前記装飾扉２７は、前記本体部２３に対して横開きするものであって、前記固定部材５５は、前記装飾扉２７の内面から水平方向に張り出す形状を有し、前記縦開きした前記遊技盤２５の正面側と当接するものとすることができる。この場合、正面側に引き出され、固定部材５５と当接したときの遊技盤２５の角度は、その主平面が水平となる角度（図２におけるＹの位置）が好ましい。この角度であれば、遊技盤２５の背面が上向きとなるので、配線作業等が一層容易である。
【００１１】
また、本発明の遊技機において、前記保持回動部材は、例えば、図６、図７に示すように、前記遊技盤２５の左右どちらかの一端を保持し、前記遊技盤２５を前記本体部２３に対して横開きさせるものであるとともに、前記装飾扉２７は、前記本体部２３に対して縦開きするものであって、前記固定部材６５は、前記装飾扉２７の内面に立設され、前記横開きした前記遊技盤２５の正面側と当接するものとすることができる。
【００１２】
前記保持回動部材は、例えば、図４に示すように、前記遊技盤２５の一端を保持する、断面略コの字型の凹部４１を備え、当該凹部４１を構成する正面側の堤３７は、背面側の堤３９よりも高いものであることが好ましい。こうすることにより、断面略コの字型の凹部４１に遊技盤２５の一端を保持し、遊技盤２５を正面側に傾けたとき（例えば図４におけるＹの位置としたとき）、遊技盤２５を下方から支える正面側の堤３７が長く形成されているので、遊技盤２５が凹部４１から脱落しにくく、遊技盤２５を一層安定して保持することができる。
【００１３】
前記保持回動部材を構成する正面側の堤は、一部が切り欠かれていることが好ましい。この場合、例えば、図１、３に示すように、正面側の堤３７のうち、遊技盤２５に貼付された許諾証４６に対応する部分を、切り欠き部４５とすることができる。こうすることにより、例えば、遊技盤２５の遊技領域を広く設計し、許諾証４６が遊技盤２５における端面付近に貼付されても、許諾証４６が保持回動部材３５により隠されてしまうことがない。
【００１４】
前記固定部材と前記遊技盤とは、相互を係合する構成を有し、係合したときは、装飾扉の回動が制限されることが好ましい。例えば、図５に示すように、装飾扉２７は、固定部材５５を介して遊技盤２５と係合し、装飾扉２７の回動が制限されることが好ましい。こうすることにより、例えば、隣接する複数の遊技機に対し、複数の作業者が同時に作業するとき、ある一台の遊技機の装飾扉２７が隣の遊技機側まで開いてしまい、隣の遊技機に対する作業の妨げとなるようなことがないので、遊技盤２５を交換等する際の作業性を一層向上させることができる。
【発明を実施するための最良の形態】
【００１５】
１．第１の実施の形態
（ａ）パチンコ機７の全体構成を図１〜図３に基づいて説明する。図１はパチンコ機７の正面図、図２は装飾扉２７を開放した状態でのパチンコ機７の側面図、図３は装飾扉２７を開放した状態でのパチンコ機７の斜視図である。
【００１６】
パチンコ機７は、図１〜３に示すように、当該パチンコ機７の外枠２１と、開閉自在に外枠２１に取り付けられた内枠（本体部）２３とを備えている。そして、内枠２３の正面側には、遊技者に遊技を提供する遊技盤２５が取り付けられている。また、内枠２３には、内枠２３の左方に鉛直に設けられた回動軸２６を介して、装飾扉２７が取り付けられている。装飾扉２７は、回動軸２６を中心として横開きに回動し、遊技盤２５を覆う位置（図１）と、遊技盤２５を開放する位置（図２、図３）とをとることができる。
【００１７】
さらに、パチンコ機７は、図３に示すように、遊技盤２５上に遊技球を発射するためのハンドル２９と、遊技盤２５における遊技の結果として当該パチンコ機７から賞品として払い出される遊技球（賞品球）を貯留する上受け皿３１と、上受け皿３１から排出される遊技球を受ける下受け皿３３と、を備えている。
（ｂ）次に、遊技盤２５を内枠２３に固定するための構成を、図１〜３及び図４に基づいて説明する。図４は、図２におけるＡ領域の拡大図である。
【００１８】
内枠２３の正面側下方には、保持回動部材３５が設けられている。この保持回動部材３５は、水平方向に延びる長手のものであり、図４に示すように、正面側の堤３７と、背面側の堤３９とにより形成される断面コの字型の凹部４１を備えている。この凹部４１において、正面側の堤３７は、背面側の堤３９よりも高く形成されている。また、凹部４１の幅は遊技盤２５の厚みとほぼ等しく形成されている。
【００１９】
保持回動部材３５は、水平方向に延びる回動軸４３を介して内枠２３に取り付けられており、凹部４１の開口部が上向きとなる角度（図２、図４におけるＸ）と、凹部４１の開口部が正面向きとなる角度（図２、図４におけるＹ）との間で回動可能である。
【００２０】
保持回動部材３５は、その凹部４１において、遊技盤２５の下端を保持する。そして、保持回動部材３５を、図２、図４におけるＸの位置に回動させると、遊技盤２５は、その主平面が鉛直となり、内枠２３に当接した状態となる。また、保持回動部材３５を、図２、図４におけるＹの位置に回動させると、遊技盤２５は、内枠２３から正面側に引き出され、その主平面が水平となる。このとき、遊技盤２５の背面が上側となる。
【００２１】
保持回動部材３５における正面側の堤３７は、図１及び図３に示すように、その右端に、切り欠き部４５を有している。遊技盤２５の下端を保持回動部材３５に取り付けたとき、遊技盤２５の右下に貼付された許諾証４６は、切り欠き部４５に位置し、正面から視認できる。
【００２２】
また、内枠２３の正面側上方には、係止部材４７、４９が設けられている。これら係止部材４７、４９は、内枠２３から正面方向に延びる軸（図示略）の先端に、楕円型の係止プレート４８、５０を回動自在に備えたものである。一方、遊技盤２５には、係止プレート４８、５０に対応する位置に、縦長の長穴５１、５３が設けられている。遊技盤２５の背面を内枠２３に当接させるとき、長径を縦向きにした係止プレート４８、５０を長穴５１、５３に通し、次に、係止プレート４８、５０を横向きにすることで、遊技盤２５の上方を内枠２３に対し係止することができる。
【００２３】
（ｃ）次に、遊技盤２５の取り付けに伴う配線作業を行う際に、遊技盤２５を正面側に引き出した状態にて固定するための構成を、図１〜３及び図５に基づいて説明する。図５は、装飾扉２７を開放し、遊技盤２５を手前に引き倒したときに、遊技盤２５と装飾扉２７との接触部付近を正面側から見た図である。
【００２４】
装飾扉２７の内面には、図５に示すように、水平保持部５５が設けられている。この水平保持部５５は、水平方向に張り出す本体５７と、本体５７の先端から上向きに突出する係合凸部５９とから構成される。図２に示すように、装飾扉２７を、装飾扉２７と内枠２３との成す角度が直角となるまで横開きし、また、遊技盤２５の下端を保持回動部材３５に保持させた状態で保持回動部材３５を回動させ、遊技盤２５をＹの位置に至るまで手前に引き倒したとき、水平保持部５５は、遊技盤２５の正面側と当接し、遊技盤２５の位置を固定する。ここで、図３、図５に示すように、遊技盤２５の正面には、係合凹部６１が形成されており、水平保持部５５の係合凸部５９と係合する。また、遊技盤２５において、係合凹部６１が設けられた部分の背面側は、透明な部材（例えば、ガラス、透明樹脂）で形成された透明部６３となっている。このため、係合凹部６１の裏側からでも、透明部６３を通して、係合凸部５９が見えるので、係合凸部５９と係合凹部６１との係合が容易である。
【００２５】
（ｄ）次に、遊技盤２５を内枠２３に取り付ける方法を説明する。
まず、図２に示すように、装飾扉２７を、装飾扉２７と内枠２３との角度が直角になるまで横開きする。次に、遊技盤２５の下端を保持回動部材３５の凹部４１に挿入する。このとき、保持回動部材３５は、凹部４１の開口部が斜め前方を向く角度にしておくことが好ましい。次に、保持回動部材３５を回動させることにより、遊技盤２５を正面側に引き倒し、遊技盤２５の主平面が水平となる位置（図２におけるＹの位置）にて、遊技盤２５を水平保持部材５５に係合させて固定する。この状態にて、内枠２３から伸びる配線を遊技盤２５の背面側に設けられた基板等に接続する。
【００２６】
その後、保持回動部材３５を回動させることにより、遊技盤２５を、その主平面が鉛直になるまで引き起こし、内枠２３に当接させる（図２におけるＸの位置とする）。そして、係止部材４７、４９により、遊技盤２５の上端付近を内枠２３に対し固定する。最後に、装飾扉２７を閉じる。
【００２７】
（ｅ）次に、パチンコ機７が奏する効果を説明する。
(i)パチンコ機７は、遊技盤２５の取り付けに伴う配線作業をするとき、図２におけるＹの位置に示すように、遊技盤２５の下端を保持回動部材３５で保持するとともに、遊技盤２５の上端付近を水平保持部材５５により保持することができる。そのため、遊技盤２５の取り付け時において、遊技盤２５を安定して保持することができ、遊技盤２５の落下による損傷を防止することができる。また、作業者は遊技盤２５の位置を安定させることに気を使わずに配線作業を行えるので、作業性が良い。
(ii)パチンコ機７は、遊技盤２５の取り付けに伴う配線作業をするとき、遊技盤２５を、図２におけるＹの位置に示すように、その背面が上向きとなった、水平状態に保持することができる。そのため、遊技盤２５の背面に設けられた基板等への配線作業が容易である。
(iii) 保持回動部材３５において、凹部４１を形成する正面側の堤３７は、背面側の堤３９よりも長く形成されているので、遊技盤２５を一層安定して保持することができる。すなわち、凹部４１に遊技盤２５の下端を保持し、遊技盤２５を正面側に傾けたとき、遊技盤２５を下方から支える正面側の堤３７が長く形成されていることにより、遊技盤２５が凹部４１から脱落しにくく、遊技盤２５を一層安定して保持することができる。
【００２８】
(iv)保持回動部材３５は、図１、３に示すように、遊技盤２５に貼付された許諾証４６に対応する部分を、切り欠き部４５としている。そのため、遊技盤２５の遊技領域を広く設計し、許諾証４６が遊技盤２５における下端付近に貼付されても、許諾証４６が保持回動部材３５により隠されてしまうことがない。
(v)図５に示すように、遊技盤２５を取り付けるとき、装飾扉２７は、遊技盤２５と係合するので、装飾扉２７の回動は制限される。そのため、例えば、隣接する複数のパチンコ機７に対し、複数の作業者が同時に作業するとき、ある一台のパチンコ機７の装飾扉２７が隣のパチンコ機７側まで開いてしまい、隣のパチンコ機７に対する作業の妨げとなるようなことがない。このことにより、遊技盤２５を交換等する際の作業性を一層向上させることができる。
【００２９】
２．第２の実施の形態
（ａ）パチンコ機７の構成は、基本的には前記第１の実施の形態と同様であるが、装飾扉２７の回動方向及び遊技盤２５の回動方向等において相違する。以下では、その相違点を中心に、図６〜図８に基づいて説明する。図６はパチンコ機７の正面図、図７は、装飾扉を開放した状態におけるパチンコ機７の平面図である。
【００３０】
図６、図７に示すように、保持回動部材３５は、遊技盤２５の左端を保持するように、鉛直に設けられている。従って、遊技盤２５は、その左端付近を回動軸として、横開きする。
【００３１】
また、装飾扉２７の回動軸２６は、装飾扉２７の下端付近において、水平に設けられている。従って、装飾扉２７は、その下端を回動軸として、縦開きする。なお、遊技盤２５の右端は、前記第１の実施の形態と同様の係止部材４７、４９により、内枠２３に対し固定される。
（ｂ）次に、遊技盤２５を内枠２３に取り付ける方法を、図６〜図８に基づいて説明する。図８は、装飾扉２７を開放し、遊技盤２５を手前に引き出したときに、遊技盤２５と装飾扉２７との接触部付近を正面側から見た図である。
【００３２】
まず、図７に示すように、装飾扉２７を、その主平面が水平になるまで縦開きする。パチンコ機７は、装飾扉２７の回動を制限するストッパー（図示略）を備えており、装飾扉２７の角度を、水平の状態で維持することができる。次に、遊技盤２５の左端を保持回動部材３５の凹部４１に挿入する。このとき、保持回動部材３５は、凹部４１の開口部が斜め前方を向く角度にしておくことが好ましい。次に、保持回動部材３５を回動させることにより、遊技盤２５の右端を正面側に引き出し、遊技盤２５と内枠２３との成す角度を直角とする（図７におけるＺの位置とする）。
【００３３】
そして、装飾扉２７の内側に設けられた保持部６５により、装飾扉２７と遊技盤２５とを固定する。ここで、保持部６５は、図８に示すように、装飾扉２７の主平面に対し垂直方向に張り出す本体６７と、本体６７の先端から右向き（図８における右向き）に突出する係合凸部６９とから構成される。遊技盤２５を本体６７に当接させたとき、係合凸部６９は、遊技盤２５に設けられた固定用孔７１を貫通し、遊技盤２５の右側に、その先端部６９ａを露出させる。先端部６９ａには、係止用孔６９ｂが設けられており、その係止用孔６９に係止ピン７２を差し込むことにより、遊技盤２５を保持部６５に対し固定することができる。
【００３４】
この状態にて、内枠２３から伸びる配線を遊技盤２５の背面側に設けられた基板等に接続する。その後、固定部材６５と遊技盤２５との固定を解除し、保持回動部材３５を回動させることにより、遊技盤２５の背面を内枠２３に当接させる（図７におけるＸの位置とする）。そして、係止部材４７、４９により、遊技盤２５の右端付近を内枠２３に対し固定する。最後に、装飾扉２７を閉じる。
（ｃ）本第２の実施の形態のパチンコ機７も、前記第１の実施の形態と同様の効果を奏することができる。
【００３５】
尚、本発明は前記実施の形態になんら限定されるものではなく、本発明を逸脱しない範囲において種々の態様で実施しうることはいうまでもない。
例えば、水平保持部５５、保持部６５は、図９に示すように、回動軸７３を介して装飾扉２７に回動可能に設けてもよい。こうすることにより、装飾扉２７と遊技盤２５とを係合させないときは、水平保持部５５、保持部６５を回動させ、装飾扉２７の内面に平行となるように寝かせることができるので、例えば、装飾扉２７を閉じたときに、水平保持部５５、保持部６５が遊技盤２５等と干渉しにくくなる。また、装飾扉２７に凹部２７ａを形成しておき、水平保持部５５、保持部６５保持部を寝かせたとき、それらの係合凸部５９、６６を凹部２７ａに収容することができる。
【００３６】
また、透明部６３（図５参照）を設けるかわりに、この部分を切り欠く構成としてもよい。この場合も、遊技盤２５の背面側から、水平保持部５５を視認することができる。
【図面の簡単な説明】
【００３７】
【図１】パチンコ機７の正面図である。
【図２】装飾扉２７を開放した状態におけるパチンコ機７の側面図である。
【図３】装飾扉２７を開放した状態におけるパチンコ機７の斜視図である。
【図４】図２におけるＡ領域の拡大図である。
【図５】装飾扉２７を開放し、遊技盤２５を手前に引き倒したときにおける、遊技盤２５と装飾扉２７との接触部付近を表す説明図である。
【図６】パチンコ機７の正面図である。
【図７】パチンコ機７の平面図
【図８】装飾扉２７を開放し、遊技盤２５を手前に引き出したときにおける、遊技盤２５と装飾扉２７との接触部付近を表す説明図である。
【図９】水平保持部５５又は保持部６５の別の形態を表す説明図である。
【符号の説明】
【００３８】
７・・・パチンコ機    ２１・・・外枠    ２３・・・内枠    ２５・・・遊技盤    ２６・・・回動軸    ２７・・・装飾扉    ２９・・・ハンドル    ３１・・・上受け皿    ３３・・・下受け皿    ３５・・・保持回動部材    ３７・・・正面側の堤  ３９・・・背面側の堤    ４１・・・凹部    ４３・・・回動軸    ４６・・・許諾証    ４７、４９・・・係止部材    ５５・・・水平保持部    ５７、６７・・・本体    ５９、６９・・・係合凸部    ６１・・・係合凹部    ６３・・・透明部    ６５・・・保持部    ７１・・・固定用孔
【図１】
2008104647.tif 000003
【図２】
2008104647.tif 000004
【図３】
2008104647.tif 000005
【図４】
2008104647.tif 000006
【図５】
2008104647.tif 000007
【図６】
2008104647.tif 000008
【図７】
2008104647.tif 000009
【図８】
2008104647.tif 000010
【図９】
2008104647.tif 000011